(57)【要約】【課題】足腰の弱った使用者にとっても楽に使用できるポータブルトイレを提供する。【解決手段】ポータブルトイレ１は、ポータブルトイレ１の設置面に載置される基台部２、及び基台部２の奥側に立設されると共に基台部２と一体的に形成された支柱部３から主に構成された第一部材４と、基台部２の上方に組み付けられた便座部５、基台部２の内部に設けられると共に便座部５と一体的に形成された収容部６、及び該収容部６から垂設された取付部７からなる第二部材８とから主に構成されている。そして、この基台部２、及び便座部５は使用者の手前から奥に向かって拡開して形成されている。さらに、支柱部３には、使用者Ｈが便座部５着座する際に手を差し込んで支柱部３に掴まるための孔部１０が設けられている。【選択図】  図１
2005342069.tif 000002
【特許請求の範囲】
【請求項１】
設置面に載置される基台部と、
該基台部の上方に設けられると共に、手前から奥に向かって拡開して形成された便座部と、
該便座部の奥側に立設され、使用者が前記便座部に着座する際に支えとなる支柱部と
を具備することを特徴とするポータブルトイレ。
【請求項２】
全体が折畳み可能であることを特徴とする請求項１に記載のポータブルトイレ。
【請求項３】
前記便座部は、前記基台部と別部材によって構成されると共に、前記基台部に組み付けられていることを特徴とする請求項１又は請求項２に記載のポータブルトイレ。
【発明の詳細な説明】
【技術分野】
【０００１】
本発明は、ポータブルトイレに関するものであり、詳しくは、病人や高齢者等の使用者が使用するポータブルトイレに関するものである。
【背景技術】
【０００２】
病人又は高齢者等（以下、使用者とする）の介護に際しては、持ち運び可能な簡易トイレ、所謂「ポータブルトイレ」が使用されることがある。
【０００３】
そして、従来のポータブルトイレは、一般的に、使用者が着座する便座部と、汚物を収容する収容部とを具備するものである。また、従来のポータブルトイレは、使用者が便座に向かって前進し、便座の手前で方向転換をして後ろ向きになり、便座部に深く腰掛けて使用するものでもある。
【０００４】
上記従来技術は、一般的な事項であり、本出願人は、本出願時において、この従来技術を特定する文献を特に知見していない。
【発明の開示】
【発明が解決しようとする課題】
【０００５】
しかしながら、従来のポータブルトイレは、使用者が便座部の手前で方向転換をして後ろ向きにならねばならないものであるため、足腰の弱った使用者にとって、使用しづらいものであった。また、便座部に着座する際には、ポータブルトイレに対して後ろ向きの姿勢にて、深く腰掛けなければならず、大きな体重移動を必要とし、足腰に大きな負担がかかる。よって、この点からも、従来のポータブルトイレは、足腰の弱った使用者にとって、使用しづらいものであった。特に、使用者が、腰が曲がった老人である場合には、前屈みの姿勢から便座部に深く腰掛けることが非常に困難である。このため、腰が曲がった老人にとって、従来のポータブルトイレは、非常に使用しづらいものであった。
【０００６】
ところで、従来のポータブルトイレの使用態様として、便座部に向かって前進したまま、方向転換をすることなく、前向きの姿勢のままで便座部を跨いで着座することが考えられる。しかし、このような使用態様であっても、Ｕ字形状やＯ字形状に形成された便座部を跨いで着座するために、足を大きく開いた上で便座部に深く腰掛ける必要がある。よって、従来のポータブルトイレは、使用態様を工夫したとしても、足腰に大きな負担がかかるものであり、やはり、使用しづらいものである。
【０００７】
そこで、本発明は、上記実情に鑑み、足腰の弱った使用者にとっても楽に使用できるポータブルトイレを提供することを課題とする。
【課題を解決するための手段】
【０００８】
上述した課題を解決するために本発明の採った手段は、
「設置面に載置される基台部と、
該基台部の上方に設けられると共に、手前から奥に向かって拡開して形成された便座部と、
該便座部の奥側に立設され、使用者が前記便座部に着座する際に支えとなる支柱部と
を具備することを特徴とするポータブルトイレ」
である。
【０００９】
上記構成のポータブルトイレでは、便座部の奥側に支柱部が立設されている。よって、使用者は、便座部の上方まで前進する際や、便座部に着座する際に、この支柱部に掴まることによって、安定した姿勢を保つことが可能になる。加えて、上記構成のポータブルトイレでは、便座部が、手前から奥に向かって拡開して形成されているため、使用者が便座部の奥に向かって前進するに従って、使用者の両足は徐々に、かつ自然にそれぞれ左右方向に分かれて案内される。よって、使用者は、便座部を跨ぐために、股を急激に大きく開く必要がない。従って、上記構成のポータブルトイレによれば、足腰の弱った使用者にとっても楽に使用できるポータブルトイレとすることができる。また、上記構成のポータブルトイレは、便座部に近づいた使用者が、前向きの姿勢で支柱部の掴まりつつ、左右の足を少しづつ動かして前進すれば、自然に、便座部に着座する体勢をとることができるものであることから、特に、腰の曲がった老人にとって、使用しやすいものである。
【００１０】
上述のポータブルトイレにおいて、
「全体が折畳み可能であることを特徴とするポータブルトイレ」
としてもよい。
【００１１】
介護等に際しては、ポータブルトイレが汚れたり破損した場合、古いものを破棄して、新たなものを必要とする。よって、予備のポータブルトイレを準備しておくとよい。また、ポータブルトイレを、介護の他、災害時等において使用することもあり、緊急時のために準備しておくとよい。従って、ポータブルトイレを、不必要時には、物置、押し入れ、倉庫等に保管できることが望ましい。
【００１２】
上記構成のポータブルトイレでは、折畳み可能であるため、折畳むことによって全体の大きさは小さくなる。よって、不必要時には、物置等にコンパクトに納めて保管しておくことができる。
【００１３】
上述のポータブルトイレにおいて、
「前記便座部は、前記基台部と別部材によって構成されると共に、前記基台部に組み付けられていることを特徴とするポータブルトイレ」
としてもよい。
【００１４】
便座部の高さが高すぎると、使用者が便座部に着座することが困難になるおそれがある。一方、便座部の高さが低すぎると、便座部に着座する際に大きく座り込む必要があり、足腰に大きな負担をかけるおそれがある。
【００１５】
また、使用者が、足腰に負担をかけることなく便座部に楽に着座できるようにするためには、ポータブルトイレを中腰の姿勢で使用できるようにするのがよく、このために、便座部の高さを使用者の体型に合わせることが望ましい。
【００１６】
上記構成のポータブルトイレでは、基台部と便座部とが別部材で構成されているため、基台部を構成する共通の部材に対して、使用者の体型に応じた高さの便座部を構成する異種の部材を組み付けたり、使用者の体型に応じた高さの基台部を構成する異種の部材に対して、便座部を構成する共通の部材を組み付けたり、或いは、便座部を構成する部材と基台部を構成する部材との間に介在物を介在させたりすることによって、高さ調節を行ない、使用者の様々な体型に対応させることが可能となる。従って、上記構成のポータブルトイレによれば、使用者の様々な体型に容易に対応できるポータブルトイレとすることができる。
【発明の効果】
【００１７】
上述の通り、本発明によれば、足腰の弱った使用者にとっても楽に使用することができるポータブルトイレを提供することができる。
【発明を実施するための最良の形態】
【００１８】
以下に、本発明に係るポータブルトイレ１の実施形態の一例を、図面に基づいて詳細に説明する。図１は本発明のポータブルトイレ１の構成を示す斜視図であり、図２はポータブルトイレ１の構成を示す分解斜視図であり、図３はポータブルトイレ１の使用例を示す斜視図である。なお、本実施形態のポータブルトイレ１は、紙製のものであり、汚物を収容する袋体を装着して使用するものである。
【００１９】
図１及び図２に示すように、本実施形態のポータブルトイレ１は、設置面に載置される基台部２、及び基台部２の奥側（図１において紙面右）に立設された支柱部３を、ダンボールを素材として一体的に形成した第一部材４と、基台部２の上方に設けられた便座部５、基台部２の内部に設けられた収容部６、及び該収容部６から上方に延設された取付部７を、第一部材４と同様にダンボールを素材として一体的に形成した第二部材８とから主に構成されている。なお、第一部材４は、使用者の体重を支えるために十分な強度を確保すべく、２層、３層、４層、或いは５層以上の複数のダンボールを積層した板厚の厚い構造となっている。一方、第二部材８は、使用者の体重を支える必要がないため、ダンボールを１層、或いは２層程度に積層した板厚の薄い構造となっている。
【００２０】
さらに詳しく説明すると、基台部２は、使用者がポータブルトイレ１に向かう正面視において、手前から奥（図１において紙面右方向）に向かって拡開した形状を呈して互いに並設された一対の板部９によって構成されている。そして、支柱部３は、上述の一対の板部９を連結するように、奥端部分にて架設されると共に、断面略コ字状に形成されたものであり、上端部には、複数の孔部１０が設けられている。
【００２１】
そして、便座部５は、板部９の厚みと略同一幅の溝部１１を有して形成されており、該溝部１１を板部９の上端部に嵌合させることによって、第二部材８は第一部材４に組み付けられる。なお、第二部材８を第一部材４に組み付ける際に、便座部５の溝部１１に介在物１２を介在させることによって、ポータブルトイレ１の設置面に対する便座部５の高さを高くすることが可能である。なお、本例では、介在物１２が、便座部５を構成する第二部材８に固着されている。また、収容部６は、汚物を収容する袋体を設置する際に袋体の底部を支えるものである。そして、取付部７は、一対の挟持片７ａを有して形成されており、係る一対の挟持片７ａで支柱部３を挟持し、接着剤又は粘着テープ等で固定することによって、第一部材４に組み付けられる第二部材８の組み付け状態がより強固なものとなる。
【００２２】
基台部２を構成する板部９の上端部には、便座部５の形状に合わせて切欠き９ａが設けられている。これによって、板部９に便座部５が深く係合し、第二部材８の第一部材４に対する前後方向の移動が制限される。また、板部９の角部９ｂや、支柱部３の角部３ａ等の角部にはアールが付けられている。
【００２３】
前述のように、第一部材４、及び第二部材８は、ダンボールを素材として形成されているため、軽量で、取り扱いが容易である。さらに、第一部材４、及び第二部材８は別部材で形成されており、図２に示すように、分離して各々を一枚のダンボールシートに展開することが可能となる。よって、不必要時には、第一部材４、及び第二部材８それぞれを折畳んで物置等にコンパクトに保管しておくことができる。また、使用後に不要となった場合、容易に解体して廃棄することができる。
【００２４】
次に、図３に基づいて、ポータブルトイレ１の使用者Ｈが便座部５に着座するための動作について説明する。ここで、予め、便座部５の溝部１１に介在物１２を介在させ、ポータブルトイレ１の設置面に対する便座部５の高さ（図１における寸法Ｌ）を、使用者Ｈが中腰で使用できる高さに調節しておく。そして、袋体を、袋体の開口部付近を折返して便座部５に被せ、ポータブルトイレ１に装着しておく。
【００２５】
まず、使用者Ｈは、ポータブルトイレ１の手前側にて、前向きに前進して便座部５に近づき、支柱部３に設けられた孔部１０に手を差し込み、支柱部３に掴まる。そして、支柱部３に掴まって体重をかけたまま、便座部５の手前から奥に向かって前進する（図３矢印Ａ）。このとき、便座部５及び基台部２は、手前から奥に向かって拡開して形成されているため、使用者Ｈの両足は、徐々に、かつ自然にそれぞれ左右方向に分かれて案内される。また、角部３ａ，９ｂ等にアールが付けられることによって、角部に身体をぶつけたり、衣服を引っ掛けたりすることが防止される。なお、便座部５の拡開の角度については、角度を小さくすると、足を徐々に広げるように案内することができる点で好適であり、４５°以下、好ましくは４０°以下、さらに好ましくは３５°以下とするのがよい。一方、角度を大きくすると、便座の前後方向の長さを短く設定することができる点で好適であり、１５°以上、好ましくは２０°以上、さらに好ましくは２５°以上とするのがよい。
【００２６】
次に、使用者Ｈは、支柱部３に掴まったまま、ゆっくりと腰を下ろし、便座部５に着座する（図３矢印Ｂ）。このとき、使用者Ｈは、支柱部３に掴まって体重をかけているため、足腰への負担は少ない。また、中腰の姿勢で着座するため、大きく体重移動する必要がなく、足を大きく折り曲げる必要がなく、楽に着座することができる。
【００２７】
以上、本発明に係る一例を説明したが、本発明はこれに限らず、本発明の要旨を逸脱しない範囲で、種々の変更が可能である。
【００２８】
すなわち、本実施形態のポータブルトイレ１において、ダンボールで形成されたものを提示したがこれに限定されるものではない。例えば、木材を素材としたものや、ＡＢＳ樹脂等の樹脂を素材としたものであっても構わない。この場合においても、全体を折畳んで収納可能とするのがよい。一方、折畳み不能とすることで、全体の剛性を高めて、耐久性が向上し、長期間にわたって使用することが可能なものとすることができる。
【００２９】
また、本実施形態のポータブルトイレ１において、第一部材４と、第二部材８とが別部材によって形成されているものを提示したがこれに限定されるものではない。例えば、全ての構成が一体的に形成されているものであっても構わない。
【００３０】
また、本実施形態のポータブルトイレ１として、袋体を装着して使用するものを提示したがこれに限定されるものではない。例えば、バケツ等によって収容部を構成することで、収容部をポータブルトイレ１とは別個のものとし、この収容部を便座部の下方に設置するものであっても構わない。この場合でも、使用後に収容部に収容された汚物を廃棄することによって、本実施形態のポータブルトイレ１と同様に使用することができる。
【００３１】
また、本実施形態のポータブルトイレ１において、便座部５は、ポータブルトイレ１を上方から見た状態において長方形状を呈するものを例示したがこれに限定されるものではない。例えば、便座部５における収容部６側の側面が外側に湾曲した形状を呈するものであっても構わない。この場合、便座部の、使用者の身体との接触部分が湾曲して形成される。よって、使用者にとって座り心地のよいポータブルトイレとすることができる。
【図面の簡単な説明】
【００３２】
【図１】本実施形態のポータブルトイレの構成を示す斜視図である。
【図２】ポータブルトイレの構成を示す分解斜視図である。
【図３】ポータブルトイレの使用例を説明する斜視図である。
【符号の説明】
【００３３】
１  ポータブルトイレ
２  基台部
３ａ  角部
３  支柱部
４  第一部材
５  便座部
６  収容部
７ａ  挟持片
７  取付部
８  第二部材
９ｂ  角部
９  板部
１０  孔部
１１  溝部
１２  介在物
Ｈ  使用者
【図１】
2005342069.tif 000003
【図２】
2005342069.tif 000004
【図３】
2005342069.tif 000005